(57)【要約】      （修正有）【課題】従来よりも冷却効果が向上した電子機器を提供する。【解決手段】プロジェクター１０と、プロジェクター１０が配置される収容装置と、内部空間に空気を取り込む第１吸気口１２０と、内部空間から空気を排出する第１排気口１５０を有し、内部空間において、第１吸気口１２０に連通する第１空間と、第１排気口１５０に連通する第２空間とを区画する区画部１４０と、第１空間に、第１吸気口１２０からの空気を送出する第１吸気ファン１３４と、を備え、プロジェクター１０は、内部に空気を取り込む第２吸気口、および内部の空気を外部へ排出する第２排気口を有し、第２吸気口を介して内部に空気を吸入する第２吸気ファンとを備え、第２吸気口は、第１空間に配置され、第２排気口は、第２空間に配置され、第１吸気ファン１３４が第１空間に送出する空気の量は、第２吸気ファンが第２筐体２０の内部に吸入する空気の量よりも大きい。【選択図】図３
2020016737.tif 000002
【特許請求の範囲】
【請求項１】
電子機器本体と、前記電子機器本体を収容する収容装置と、を備える電子機器であって、
前記収容装置は、
前記電子機器本体が配置される内部空間を形成し、前記内部空間に空気を取り込む第１吸気口、および前記内部空間から空気を排出する第１排気口を有し、外装を構成する第１筐体と、
前記内部空間において、前記第１吸気口に連通する第１空間と、前記第１排気口に連通する第２空間と、を区画する区画部と、
前記第１空間に、前記第１吸気口からの空気を送出する第１吸気ファンと、を備え、
前記電子機器本体は、
内部に空気を取り込む第２吸気口、および前記内部の空気を外部へ排出する第２排気口を有し、外装を構成する第２筐体と、
前記第２吸気口を介して前記内部に空気を吸入する第２吸気ファンと、を備え、
前記第２吸気口は、前記第１空間に配置され、
前記第２排気口は、前記第２空間に配置され、
前記第１吸気ファンが前記第１空間に送出する空気の量は、前記第２吸気ファンが前記第２筐体の前記内部に吸入する空気の量よりも大きいことを特徴とする電子機器。
【請求項２】
前記収容装置は、前記第２空間と前記第１排気口との間に配置されたシャッターを備え、
前記シャッターは、前記第２空間の気圧と、前記第１排気口の外側の気圧と、の圧力差に応じて開閉して、前記第２空間から前記第１排気口までの間を連通と遮断との間で切り替える、請求項１に記載の電子機器。
【請求項３】
前記収容装置は、前記第１吸気口と前記第１空間との間にフィルターを備える、請求項１または請求項２に記載の電子機器。
【請求項４】
前記フィルターは、前記第１吸気口と前記第１吸気ファンとの間に配置されている、請求項３に記載の電子機器。
【請求項５】
前記収容装置は、前記収容装置に対して、収容する前記電子機器本体の相対的な位置調整を行う調整機構を備え、
前記調整機構は、ピッチ調整機構およびロール調整機構を含む、請求項１から請求項４のいずれか１項に記載の電子機器。
【請求項６】
プロジェクターと、前記プロジェクターを収容する収容装置と、を備える投射装置であって、
前記収容装置は、
前記プロジェクターが配置される内部空間を形成し、前記内部空間に空気を取り込む第１吸気口、前記内部空間から空気を排出する第１排気口、および前記プロジェクターから出射された光が通過する窓部を有し、外装を構成する第１筐体と、
前記内部空間において、前記第１吸気口に連通する第１空間と、前記第１排気口に連通する第２空間と、を区画する区画部と、
前記第１空間に、前記第１吸気口からの空気を送出する第１吸気ファンと、を備え、
前記プロジェクターは、
光源と、
前記光源から出射された光を変調する光変調装置と、
前記光変調装置によって変調された光を投射する投射光学装置と、
内部に空気を取り込む第２吸気口、および前記内部の空気を外部へ排出する第２排気口を有し、外装を構成する第２筐体と、
前記第２吸気口を介して前記内部に空気を吸入する第２吸気ファンと、を備え、
前記第２吸気口は、前記第１空間に配置され、
前記第２排気口は、前記第２空間に配置され、
前記第１吸気ファンが前記第１空間に送出する空気の量は、前記第２吸気ファンが前記第２筐体の前記内部に吸入する空気の量よりも大きいことを特徴とする投射装置。
【発明の詳細な説明】
【技術分野】
【０００１】
本発明は、電子機器、投射装置に関する。
【背景技術】
【０００２】
従来、屋外に設置される電子機器が知られていた。例えば、特許文献１には、屋外に設置する電子機器に対応した、雨水の浸入を防止する換気装置が提案されている。該換気装置には、電子機器としての制御盤の筐体内に空気を流通させて換気（冷却）を行うために、開口部およびファンが配設されている。
【先行技術文献】
【特許文献】
【０００３】
【特許文献１】特開２０１３−６２４２５号公報
【発明の概要】
【発明が解決しようとする課題】
【０００４】
しかしながら、特許文献１に記載の換気装置では、制御盤（電子機器）の冷却が不足する虞があるという課題があった。詳しくは、換気が行われる際に、筐体内を冷却して暖まった空気が、筐体内を冷却するために取り込まれた、比較的に冷えた空気に混入する場合があった。そのため、冷却用の空気の温度が高くなり、夏場などの高温な環境下での稼働においては、電子機器の冷却が充分に行われない可能性があった。すなわち、従来よりも冷却効果が向上した電子機器が求められていた。
【課題を解決するための手段】
【０００５】
本願の電子機器は、電子機器本体と、電子機器本体を収容する収容装置と、を備える電子機器であって、収容装置は、電子機器本体が配置される内部空間を形成し、内部空間に空気を取り込む第１吸気口、および内部空間から空気を排出する第１排気口を有し、外装を構成する第１筐体と、内部空間において、第１吸気口に連通する第１空間と、第１排気口に連通する第２空間と、を区画する区画部と、第１空間に、第１吸気口からの空気を送出する第１吸気ファンと、を備え、電子機器本体は、内部に空気を取り込む第２吸気口、および内部の空気を外部へ排出する第２排気口を有し、外装を構成する第２筐体と、第２吸気口を介して内部に空気を吸入する第２吸気ファンと、を備え、第２吸気口は、第１空間に配置され、第２排気口は、第２空間に配置され、第１吸気ファンが第１空間に送出する空気の量は、第２吸気ファンが第２筐体の内部に吸入する空気の量よりも大きいことを特徴とする。
【０００６】
上記の電子機器において、収容装置は、第２空間と第１排気口との間に配置されたシャッターを備え、シャッターは、第２空間の気圧と、第１排気口の外側の気圧と、の圧力差に応じて開閉して、第２空間から第１排気口までの間を連通と遮断との間で切り替えることが好ましい。
【０００７】
上記の電子機器において、収容装置は、第１吸気口と第１空間との間にフィルターを備えることが好ましい。
【０００８】
上記の電子機器において、フィルターは、第１吸気口と第１吸気ファンとの間に配置されていることが好ましい。
【０００９】
上記の電子機器において、収容装置は、収容装置に対して、収容する電子機器本体の相対的な位置調整を行う調整機構を備え、調整機構は、ピッチ調整機構およびロール調整機構を含むことが好ましい。
【００１０】
本願の投射装置は、プロジェクターと、プロジェクターを収容する収容装置と、を備える投射装置であって、収容装置は、プロジェクターが配置される内部空間を形成し、内部空間に空気を取り込む第１吸気口、内部空間から空気を排出する第１排気口、およびプロジェクターから出射された光が通過する窓部を有し、外装を構成する第１筐体と、内部空間において、第１吸気口に連通する第１空間と、第１排気口に連通する第２空間と、を区画する区画部と、第１空間に、第１吸気口からの空気を送出する第１吸気ファンと、を備え、プロジェクターは、光源と、光源から出射された光を変調する光変調装置と、光変調装置によって変調された光を投射する投射光学装置と、内部に空気を取り込む第２吸気口、および内部の空気を外部へ排出する第２排気口を有し、外装を構成する第２筐体と、第２吸気口を介して内部に空気を吸入する第２吸気ファンと、を備え、第２吸気口は、第１空間に配置され、第２排気口は、第２空間に配置され、第１吸気ファンが第１空間に送出する空気の量は、第２吸気ファンが第２筐体の内部に吸入する空気の量よりも大きいことを特徴とする。
【図面の簡単な説明】
【００１１】
【図１】実施形態に係る投射装置の外観を示す斜視図。
【図２】投射装置の構成を示す斜視図。
【図３】上部筐体を開放した投射装置の内側の構成を示す斜視図。
【図４】プロジェクターの光学系を示す概略図。
【図５】収容装置に配置されたプロジェクターの外観を示す斜視図。
【図６】収容装置に配置されたプロジェクターの外観を示す斜視図。
【図７】プロジェクターの内部構造を示す斜視図。
【図８】上部筐体の内部構造を示す平面図。
【図９】図８のＡ−Ａ’線に沿った、投射装置の模式断面図。
【図１０】図８のＢ−Ｂ’線に沿った、投射装置の模式断面図。
【図１１Ａ】ＸＺ平面に沿った、収容装置におけるシャッター周辺の拡大断面図。
【図１１Ｂ】ＸＺ平面に沿った、収容装置におけるシャッター周辺の拡大断面図。
【図１２】調整機構の構成を示す斜視図。
【発明を実施するための形態】
【００１２】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。なお、以下の各図においては、各部材を認識可能な程度の大きさにするため、各部材の尺度を実際とは異ならせしめている。
【００１３】
（実施形態）
本実施形態では、電子機器本体としてのプロジェクターが収容装置に収容された、電子機器としての投射装置を例に挙げて説明する。この投射装置は、例えば、屋外などに常時設置して、プロジェクションマッピングなどの用途に好適に用いることができるものである。
【００１４】
＜投射装置＞
本実施形態に係る投射装置の構成について、図１、図２、図３を参照して説明する。図１は、実施形態に係る投射装置の外観を示す斜視図である。図２は、投射装置の構成を示す斜視図である。図３は、上部筐体を開放した投射装置の内側の構成を示す斜視図である。なお、図２においては、投射装置内部の部材を破線で示している。
【００１５】
図１に示すように、本実施形態に係る電子機器としての投射装置１は、電子機器本体としてのプロジェクター１０と、プロジェクター１０を収容する収容装置１００と、を備えている。
【００１６】
収容装置１００は、投射装置１の外装を構成する第１筐体１１０を備えている。第１筐体１１０が形成する内部空間には、プロジェクター１０が配置されている。第１筐体１１０は、略直方体であって、上部筐体１１０ａと下部筐体１１０ｂとから成る。第１筐体１１０では、下部筐体１１０ｂが底面を構成し、上部筐体１１０ａが４つの側面と天井面とを構成している。
【００１７】
上部筐体１１０ａの一側面における横方向の略中央に、略矩形の窓部１１２が配置されている。窓部１１２は、プロジェクター１０の後述する投射光学装置の投射レンズ３０から出射された光が通過する。
【００１８】
ここで、上部筐体１１０ａの窓部１１２が配置された側面の長辺に沿った方向（横方向）をＸ方向とし、第１筐体１１０の高さ方向をＺ方向とし、Ｘ方向およびＺ方向と直交する、第１筐体１１０の奥行き方向をＹ方向とする。また、以下の説明において、下部筐体１１０ｂに対して、上部筐体１１０ａが配置される方向を上方（正のＺ方向）とし、負のＺ方向を下方とする。さらには、窓部１１２に向かって右側を右方（負のＸ方向）、左側を左方（正のＸ方向）、窓部１１２が配置された側面側を前方（負のＹ方向）、前方と対向する方向を後方（正のＹ方向）とする。
【００１９】
図２に示すように、収容装置１００は、第１筐体１１０（上部筐体１１０ａ、下部筐体１１０ｂ）の他に、フィルター１３２、第１吸気ファン１３４、区画部１４０を備えている。
【００２０】
下部筐体１１０ｂには、プロジェクター１０が載置される。上部筐体１１０ａは、プロジェクター１０の上方を覆って下部筐体１１０ｂと組み立てられる。上部筐体１１０ａと下部筐体１１０ｂとにより第１筐体１１０の内部空間が形成されて、該内部空間にプロジェクター１０が配置される。
【００２１】
上部筐体１１０ａおよび下部筐体１１０ｂの形成材料としては、樹脂、金属などが挙げられ、これらの１種類以上が採用可能である。特に、プロジェクションマッピングなどの用途において、複数の投射装置１を積み重ねて設置する場合には、耐荷重が確保しやすい金属を形成材料として用いてもよい。
【００２２】
第１筐体１１０の外形寸法は、特に限定されないが、例えば、Ｘ方向の距離（横幅）が約７００ｍｍ、Ｙ方向の距離（奥行）が約７００ｍｍ、Ｚ方向の距離（高さ）が約３５０ｍｍである。
【００２３】
上述したように、第１筐体１１０は、窓部１１２を備えている。窓部１１２は、プロジェクター１０の投射レンズ３０と対向して配置されている。窓部１１２の形成材料としては、透光性を有していれば特に限定されないが、例えば、樹脂、無機ガラスなどが挙げられる。なお、窓部１１２は、投射レンズ３０と対向して配置されることに限定されない。投射レンズ３０から出射された光が窓部１１２を通過すればよく、投射レンズ３０から出射された光を、反射鏡などを用いて窓部１１２を通過させる形態としてもよい。
【００２４】
上部筐体１１０ａの上方の面（天井面）の略中央には、第１吸気口１２０と第１排気口１５０とが設けられている。第１吸気口１２０および第１排気口１５０は、前方から後方に向かって、第１吸気口１２０、第１排気口１５０の順番で配列されている。
【００２５】
第１吸気口１２０は、第１筐体１１０の内部空間に、外界から空気を取り込む。第１排気口１５０は、第１筐体１１０の内部空間から外界へ空気を排出する。第１吸気口１２０および第１排気口１５０は、それぞれ、第１筐体１１０に設けられた略円形の開口部と、該開口部の形状に嵌合する、スリットを有する部材とを備えている。なお、本明細書において、外界とは、電子機器が設置された環境を指し、屋外または屋内の何れかをいう。
【００２６】
フィルター１３２および第１吸気ファン１３４は、上部筐体１１０ａの右上方（右方の上方）に配されている。フィルター１３２は、第１吸気ファン１３４が、第１吸気口１２０から吸引した外界の空気を濾す機能を有している。そのため、フィルター１３２によって、外界の空気に含まれる塵埃が捕捉され、含有される塵埃の量が低減された外界の空気が、第１吸気ファン１３４に到達する。フィルター１３２の形態としては、特に限定されないが、例えば、繊維を板状に配置した、フェルト製や紙製の防塵用フィルターなどが挙げられる。
【００２７】
第１吸気ファン１３４は、外界から吸引した空気を、第１筐体１１０の内部空間に送出する。第１吸気ファン１３４の形態としては、特に限定されないが、例えば、遠心ファン（所謂シロッコファン）が挙げられる。遠心ファンとは、ファンの回転軸方向から吸引した気体を、ファンブレードが回転する遠心力によって遠心方向に押し出すファンである。本実施形態では、遠心ファンをＹ方向に沿って３つ配置している。
【００２８】
プロジェクター１０は、投射レンズ３０を含む、後述する投射光学装置、プロジェクター１０の外装を構成する第２筐体２０、および後述する第２吸気ファンを備えている。第２筐体２０は、プロジェクター１０の内部に空気を取り込む第２吸気口２２、および後述する第２排気口を備えている。
【００２９】
第２筐体２０は、高さ方向の距離が短い略直方体である。第２筐体２０の形成材料としては、樹脂、金属などが挙げられ、これらの１種類以上が採用可能である。
【００３０】
第２筐体２０において、前方側面の横方向の略中央には、投射レンズ３０が配置されている。投射レンズ３０から出射された光は、収容装置１００の窓部１１２を通過して、負のＹ方向に沿って外界に投射される。
【００３１】
第２筐体２０の右方の側面には、第２吸気口２２が設けられている。第２吸気口２２を介して、収容装置１００の第１吸気ファン１３４から供給された外界の空気が、プロジェクター１０の内部に取り込まれる。
【００３２】
図３は、投射装置１において、上部筐体１１０ａの後方下部を支点として、上部筐体１１０ａの前方を上方へ開放した状態を図示している。図３に示すように、上部筐体１１０ａおよび下部筐体１１０ｂによって形成される、第１筐体１１０の内部空間に、プロジェクター１０が配置されている。該内部空間は、ＸＺ平面と略平行に配置された区画部１４０によって、前方側の第１空間と後方側の第２空間とに区画されている。すなわち、区画部１４０は、第１筐体１１０の内部空間において、第１空間と第２空間とに区画する。また区画部１４０は、プロジェクター１０に対して後方寄りに配置されている。そのため、プロジェクター１０の第２吸気口２２（図２参照）は、第１空間に配置される。
【００３３】
区画部１４０は、板状の部材であって、上部筐体１１０ａおよび下部筐体１１０ｂの内部空間側の形状と、プロジェクター１０の外形とに沿って切欠きが設けられている。そのため、第１空間と第２空間との間は、直接的な空気の流通が抑制されている。ここでいう直接的とは、プロジェクター１０の内部を介した間接的な空気の流通を除く、という意味である。なお、区画部１４０と、プロジェクター１０や上部筐体１１０ａおよび下部筐体１１０ｂとの間隙に、スポンジなどを設置して上記間隙を封止してもよい。
【００３４】
＜プロジェクター＞
本実施形態では、プロジェクター１０として、照明装置、色分離導光光学系、光変調装置、投射光学装置などを備えた形態を例に挙げて説明する。なお、プロジェクター１０の形態は、上記に限定されるものではない。
【００３５】
まず、本実施形態のプロジェクター１０の光学系について、図４を参照して説明する。図４は、プロジェクター１０の光学系を示す概略図である。
【００３６】
図４に示すように、プロジェクター１０は、照明装置２００、色分離導光光学系３００、光変調装置としての３つの液晶ライトバルブ４５０Ｒ、液晶ライトバルブ４５０Ｇ、液晶ライトバルブ４５０Ｂ（以下、これらを総称して「光変調装置４５０」ともいう。）、クロスダイクロイックプリズム５００、投射光学装置６００を備える。
【００３７】
照明装置２００は、光源２０１、集光光学系８０、波長変換素子９０、コリメート光学系２１０、第１レンズアレイ２２０、第２レンズアレイ２３０、偏光変換素子２４０および重畳レンズ２５０を備える。
【００３８】
光源２０１は、複数の発光素子（図示せず）を備える。発光素子としては、例えば発光ダイオードまたは半導体レーザーなどが挙げられる。発光素子は、用途に応じて任意の波長のものを選択することができる。例えば、波長４３０ｎｍ〜４９０ｎｍの青色光を出射する発光素子として、窒化物系半導体（ＩｎxＡｌyＧａ1-x-yＮ、０≦ｘ≦１、０≦ｙ≦１、ｘ＋ｙ≦１）を含む材料を用いることができる。さらに、この材料に加えて、ＩＩＩ族元素としてホウ素原子が一部に置換されたものや、Ｖ族元素として窒素原子の一部をリン原子、ヒ素原子で置換された材料を用いることもできる。なお、光源２０１としては、発光素子に限定されず、例えば、後述する光学系の構成を変更して、超高圧水銀灯やハロゲンランプなどの白色光源を用いてもよい。
【００３９】
光源２０１は、例えば青色光Ｂを集光光学系８０に向けて出射する。集光光学系８０は、第１レンズ８２および第２レンズ８４を備える。集光光学系８０は、光源２０１から波長変換素子９０までの光路中に配置され、全体として青色光Ｂを略集光した状態で後述する波長変換層９２に入射させる。第１レンズ８２および第２レンズ８４は、凸レンズからなる。
【００４０】
波長変換素子９０はいわゆる透過型の波長変換素子であり、モーター９８により回転可能な円板９６の一部に、単一の波長変換層９２が円板９６の周方向に沿って連続して形成されてなる。波長変換素子９０は、青色光Ｂを赤色光Ｒおよび緑色光Ｇを含む蛍光光に変換し、この光を青色光Ｂが入射する側とは反対の側に向けて出射するように構成されている。
【００４１】
円板９６は、青色光Ｂを透過する材料からなる。円板９６の材料としては、例えば、石英ガラス、水晶、サファイア、光学ガラス、透明樹脂等を用いることができる。
【００４２】
光源２０１からの青色光Ｂは、円板９６側から波長変換素子９０に入射する。波長変換層９２は、青色光Ｂを透過し赤色光Ｒおよび緑色光Ｇを反射するダイクロイック膜９４を介して円板９６上に形成されている。ダイクロイック膜９４は、例えば、誘電体多層膜からなる。
【００４３】
波長変換層９２は、光源２０１からの波長が約４４５ｎｍの青色光Ｂの一部を蛍光光に変換して出射し、かつ、青色光Ｂの残りの一部を変換せずに通過させる。このように、励起光を出射する光源２０１と波長変換層９２とを用いて所望の色光を得ることができる。波長変換層９２は、例えばＹＡＧ系蛍光体である（Ｙ、Ｇｄ）3（Ａｌ、Ｇａ）5Ｏ12：Ｃｅと有機バインダーを含有する層からなる。
【００４４】
コリメート光学系２１０は、各々が凸レンズからなる第１レンズ２１２と第２レンズ２１４を備え、波長変換素子９０からの光を略平行化する。
【００４５】
第１レンズアレイ２２０は、コリメート光学系２１０からの光を複数の部分光束に分割するための複数の第１小レンズ２２２を有する。第１レンズアレイ２２０は、照明光軸２００ａｘと直交する面内にマトリクス状に配列された複数の第１小レンズ２２２を有する。
【００４６】
第２レンズアレイ２３０は、照明光軸２００ａｘに直交する面内にマトリクス状に配列された複数の第２小レンズ２３２を有する。複数の第２小レンズ２３２は第１レンズアレイ２２０の複数の第１小レンズ２２２に対応して設けられている。第２レンズアレイ２３０は、重畳レンズ２５０と共に、第１レンズアレイ２２０の各第１小レンズ２２２の像を液晶ライトバルブ４５０Ｒ、液晶ライトバルブ４５０Ｇ、液晶ライトバルブ４５０Ｂの画像形成領域近傍に結像させる機能を有する。
【００４７】
偏光変換素子２４０は、第１レンズアレイ２２０により分割された各部分光束の偏光方向を、偏光方向の揃った略１種類の直線偏光光として出射する偏光変換素子である。偏光変換素子２４０は、波長変換素子９０からの光に含まれる偏光成分のうち一方の直線偏光成分をそのまま透過し、他方の直線偏光成分を照明光軸２００ａｘに垂直な方向に反射する偏光分離層と、偏光分離層で反射された他方の直線偏光成分を照明光軸２００ａｘに平行な方向に反射する反射層と、反射層で反射された他方の直線偏光成分を一方の直線偏光成分に変換する位相差板とを有している。
【００４８】
重畳レンズ２５０は、偏光変換素子２４０からの各部分光束を集光して液晶ライトバルブ４５０Ｒ、液晶ライトバルブ４５０Ｇ、液晶ライトバルブ４５０Ｂの画像形成領域近傍に重畳させる。
【００４９】
第１レンズアレイ２２０、第２レンズアレイ２３０および重畳レンズ２５０は、波長変換素子９０からの光の面内光強度分布を均一にするインテグレーター光学系を構成する。
【００５０】
色分離導光光学系３００は、ダイクロイックミラー３１０、ダイクロイックミラー３２０、反射ミラー３３０、反射ミラー３４０、反射ミラー３５０およびリレーレンズ３６０、リレーレンズ３７０を備える。色分離導光光学系３００は、照明装置２００からの光を赤色光Ｒ、緑色光Ｇおよび青色光Ｂに分離し、赤色光Ｒ、緑色光Ｇおよび青色光Ｂのそれぞれの色光を照明対象となる液晶ライトバルブ４５０Ｒ、液晶ライトバルブ４５０Ｇ、液晶ライトバルブ４５０Ｂに導光する機能を有する。
【００５１】
色分離導光光学系３００と、液晶ライトバルブ４５０Ｒ、液晶ライトバルブ４５０Ｇ、液晶ライトバルブ４５０Ｂとの間には、フィールドレンズ４００Ｒ、フィールドレンズ４００Ｇ、フィールドレンズ４００Ｂが配置されている。
【００５２】
ダイクロイックミラー３１０は、赤色光Ｒ成分を通過させ、ダイクロイックミラー３２０に向けて、緑色光Ｇ成分および青色光Ｂ成分を反射する。ダイクロイックミラー３２０は、フィールドレンズ４００Ｇに向けて緑色光Ｇ成分を反射して、青色光Ｂ成分を通過させる。
【００５３】
ダイクロイックミラー３１０を通過した赤色光Ｒは、反射ミラー３３０で反射され、フィールドレンズ４００Ｒを通過して赤色光Ｒ用の液晶ライトバルブ４５０Ｒの画像形成領域に入射する。
【００５４】
ダイクロイックミラー３１０で反射された緑色光Ｇは、ダイクロイックミラー３２０でさらに反射され、フィールドレンズ４００Ｇを通過して緑色光Ｇ用の液晶ライトバルブ４５０Ｇの画像形成領域に入射する。
【００５５】
ダイクロイックミラー３２０を通過した青色光Ｂは、リレーレンズ３６０、入射側の反射ミラー３４０、リレーレンズ３７０、出射側の反射ミラー３５０、フィールドレンズ４００Ｂを経て青色光Ｂ用の液晶ライトバルブ４５０Ｂの画像形成領域に入射する。
【００５６】
液晶ライトバルブ４５０Ｒ、液晶ライトバルブ４５０Ｇ、液晶ライトバルブ４５０Ｂは、光源２０１から出射された光を変調する。これらは、入射された色光を画像情報に応じて変調してカラー画像を形成するものであり、照明装置２００の照明対象となる。
【００５７】
なお、図示は省略したが、液晶ライトバルブ４５０Ｒの光入射側と光出射側にはそれぞれ、入射側偏光板と出射側偏光板が設けられている。液晶ライトバルブ４５０Ｇ、液晶ライトバルブ４５０Ｂに関しても同様である。
【００５８】
クロスダイクロイックプリズム５００は、液晶ライトバルブ４５０Ｒ、液晶ライトバルブ４５０Ｇ、液晶ライトバルブ４５０Ｂ各々から出射された画像光を合成してカラー画像を形成する。このクロスダイクロイックプリズム５００は、４つの直角プリズムを貼り合わせた直方体の形状をなし、直角プリズム同士を貼り合わせた略Ｘ字状の界面には、誘電体多層膜が形成されている。
【００５９】
投射光学装置６００は、投射レンズ３０（図２参照）を含んでいる。投射光学装置６００は、液晶ライトバルブ４５０Ｒ、液晶ライトバルブ４５０Ｇ、液晶ライトバルブ４５０Ｂによって形成されたカラー画像を、窓部１１２（図１参照）を介してスクリーンＳＣＲ上に投射する。
【００６０】
なお、本実施形態の照明装置２００において、波長変換素子９０が設けられているが、波長変換素子９０は設けられていなくてもよい。このような場合には、プロジェクターの光源として、赤色光Ｒを出射する光源と、緑色光Ｇを出射する光源と、青色光Ｂを出射する光源とのうち少なくとも１つに、光源２０１が用いられる。
【００６１】
なお、本実施形態のプロジェクター１０において、光変調装置として透過型の液晶ライトバルブを用いた例を示したが、これに限定されない。他の光変調装置として、例えば、反射型の液晶ライトバルブや、デジタルミラーデバイスを用いてもよい。また、用いる液晶ライトバルブの個数は、３つに限定されない。ここで、「透過型」とは、液晶パネル等を含む液晶ライトバルブが光を透過するタイプであることを意味する。「反射型」とは、液晶ライトバルブが光を反射するタイプであることを意味する。
【００６２】
次に、本実施形態のプロジェクター１０の構造について、図５、図６、図７を参照して説明する。図５および図６は、収容装置１００に配置されたプロジェクター１０の外観を示す斜視図である。図７は、プロジェクター１０の内部構造を示す斜視図である。なお、図５および図６は、収容装置１００の上部筐体１１０ａを取り去った状態を示している。また、図６においては、プロジェクター１０の後方の側面（背面）に接続される各種配線類の図示を省略している。さらに、図７は、図５において、第２筐体２０の一部、区画部１４０、光源２０１も取り去った状態を示し、プロジェクター１０に内蔵される他のいくつかの部品も省略している。
【００６３】
図５に示すように、第１筐体１１０の内部空間は、区画部１４０によって仕切られて、第１空間１６１と、第２空間１６２とに区画されている。第１空間１６１は、収容装置１００における第１筐体１１０の第１吸気口１２０（図２参照）に連通している。第２空間１６２は、収容装置１００における第１筐体１１０の第１排気口１５０（図２参照）に連通している。上述したように、区画部１４０は、プロジェクター１０に対して後方寄りに配置されている。
【００６４】
上述したように、プロジェクター１０の右方の側面には、第２吸気口２２が設けられている。第２吸気口２２は、区画部１４０よりも前方側（負のＹ方向側）に位置し、第１空間１６１に配置されている。第２吸気口２２は、第２筐体２０に設けられたスリットであって、収容装置１００の第１吸気ファン１３４から供給された空気を取り込む。ここで、第２吸気口２２は、プロジェクター１０の側面に配置されることに限定されない。また、第２筐体２０の第１空間１６１側に、第２吸気口２２以外の吸気口を配置してもよい。
【００６５】
図６に示すように、第２筐体２０の後方の側面（背面）には、第２排気口２４が２つ設けられている。第２排気口２４は、第２筐体２０の背面において、横方向（Ｘ方向）の両側の端部付近に配置されている。２つの第２排気口２４は、区画部１４０に対して後方側（正のＹ方向側）に位置し、第２空間１６２に配置されている。
【００６６】
第２排気口２４は、第２筐体２０に設けられたスリットであって、略矩形の領域に設けられている。第２排気口２４は、プロジェクター１０の内部の空気を、プロジェクター１０の外部、すなわち第２空間１６２へ排出する機能を有している。
【００６７】
図７に示すように、プロジェクター１０は、上述した投射レンズ３０などの他に、第２吸気ファン３２を備えている。
【００６８】
第２吸気ファン３２は、第２筐体２０の右方の側面付近、すなわち第２吸気口２２（図２参照）付近に３つ配置されている。第２吸気ファン３２は、第２吸気口２２を介して、第１空間１６１（図５参照）からプロジェクター１０の内部に空気を吸入する。第２吸気ファン３２の形態としては、特に限定されないが、例えば、上述した遠心ファンが挙げられる。
【００６９】
プロジェクター１０をプロジェクションマッピングなどの広範囲、高輝度の投射用途に供する場合に、光源２０１および光変調装置４５０が高温となりやすい。本実施形態の投射装置１は、従来よりも冷却効果が向上しているため、上記用途においても、光源２０１および光変調装置４５０の過熱を抑えることができる。
【００７０】
第２吸気ファン３２によって第２吸気口２２から吸引された空気は、光源２０１および光変調装置４５０、およびプロジェクター１０に内蔵される他の部品を冷却して、第２排気口２４から第２空間１６２（図５参照）へ排出される。このとき、第２排気口２４から排出される空気の温度は、光源２０１や光変調装置４５０などを冷却したことによって、外界の空気の温度よりも高くなる。
【００７１】
＜空気の経路＞
投射装置１の内部における空気の経路について、図８、図９、図１０を参照して説明する。図８は、上部筐体の内部構造を示す平面図である。図９は、図８のＡ−Ａ’ 線に沿った、投射装置の模式断面図である。図１０は、図８のＢ−Ｂ’ 線に沿った、投射装置の模式断面図である。なお、図８は、上部筐体１１０ａを下方（負のＺ方向）側から見上げた状態を示している。Ａ−Ａ’線は、第１排気口１５０、フィルター１３２などを横断する線分である。Ｂ−Ｂ’線は、第１吸気口１２０、第１排気口１５０などを横断する線分である。
【００７２】
図８に示すように、上部筐体１１０ａは、前室１２１、後室１４９を備えている。前室１２１は、第１吸気口１２０と、フィルター１３２および第１吸気ファン１３４と、の間に設けられている。また、フィルター１３２は、第１吸気口１２０と第１吸気ファン１３４との間に配置されている。そのため、第１吸気口１２０から取り込まれた空気は、前室１２１、フィルター１３２、第１吸気ファン１３４の順番に上部筐体１１０ａ内を移動する。そして、第１吸気ファン１３４によって、第１吸気口１２０から取り込まれた空気は、第１空間１６１（図５参照）に送出される。
【００７３】
なお、フィルター１３２は、第１吸気口１２０と第１空間１６１（図５参照）との間に配置されていればよく、第１吸気ファン１３４と第１空間１６１との間に配置されてもよい。但し、第１吸気ファン１３４に対する上流側（第１吸気口１２０側）にフィルター１３２を配置する方が、第１吸気ファン１３４を清浄に保ちやすい。
【００７４】
後室１４９は、第２空間１６２（図６参照）と、第１排気口１５０と、の間に設けられている。そのため、プロジェクター１０の第２排気口２４（図６参照）から第２空間１６２に排出された空気は、第２空間１６２から後室１４９を経て、第１排気口１５０から外界へ排出される。前室１２１と後室１４９とは、上部筐体１１０ａ内にあって区分されており、連通していない。
【００７５】
ここで、第１吸気ファン１３４が第１空間１６１に送出する空気の量は、第２吸気ファン３２（図７参照）が第２筐体２０の内部に吸入する空気の量よりも大きい。ここでいう空気の量とは、第１吸気ファン１３４では送出する風量であり、第２吸気ファン３２では吸入する風量である。これらの風量の単位は、時間当たりの空気の体積であって、例えば、ｍ3／ｈ（立方メートル／時間）である。
【００７６】
本実施形態では、３つの第１吸気ファン１３４と、３つの第２吸気ファン３２と、を用いている。このような場合には、上記の空気の量とは、各吸気ファンの合計の風量を指す。
【００７７】
第１空間１６１へ送出される空気の量が、第１空間１６１から吸引される空気の量よりも大きいことから、第１空間１６１の気圧は、プロジェクター１０内部の気圧よりも高くなる。これにより、プロジェクター１０の内部を通過する空気の流速が大きくなる。また、第１空間１６１内が陽圧となるため、第１筐体１１０の隙間などから第１空間１６１内へ、塵埃などが入り込みにくくなる。
【００７８】
図９に示すように、外界の空気ＣＡは、第１吸気ファン１３４の吸引によって、第１吸気口１２０から前室１２１に取り込まれる。前室１２１は、上段と下段との２段に分かれている。空気ＣＡは、第１吸気口１２０の円筒状の部材の内面に沿って流れて、前室１２１の下段に進む。そして、空気ＣＡは、下段から、上段との間の仕切りに設けられた開口部を通過して上段に至る。上段はフィルター１３２に通じており、空気ＣＡは、フィルター１３２を通過して、第１吸気ファン１３４を介して第１空間１６１へ送出される。
【００７９】
このとき、外界の空気ＣＡに含まれている塵埃などは、フィルター１３２によって捕捉されて、空気ＣＡに含まれる塵埃の量が低減される。そして空気ＣＡは、第１空間１６１から、第２吸気口２２を介してプロジェクター１０の内部に取り込まれて、光源２０１や光変調装置４５０などの部品を冷却する。
【００８０】
図１０に示すように、プロジェクター１０の内部を冷却して暖められた空気ＨＡは、第２排気口２４から第２空間１６２に排出される。第２空間１６２と後室１４９との間には、シャッター１４７が配置されている。図１０では、シャッター１４７が開いた状態を示している。シャッター１４７の詳細については後述する。シャッター１４７が開くと、第２空間１６２と後室１４９とが連通し、空気ＨＡは、第２空間１６２から後室１４９へと進む。
【００８１】
後室１４９は、上段と下段との２段に分かれている。空気ＨＡは、第２空間１６２から上段に流入した後、下段との間の仕切りに配置された開口部を通過して下段に至る。下段には、第１排気口１５０の円筒状の部材が突出している。空気ＨＡは、該円筒状の部材の内面に沿って流れて、第１排気口１５０のスリットから外界に排出される。
【００８２】
ここで、プロジェクター１０の第２排気口２４において、空気ＨＡの上流側または下流側に第１排気ファンを配置して、空気ＨＡの第２空間１６２への排出を促進してもよい。但し、第１排気ファンを配置する場合は、第１排気ファンによって排出される空気ＨＡの量（風量）は、第１吸気ファン１３４が第１空間１６１に送出する空気ＣＡの量よりも小さくする。
【００８３】
第１排気ファンの形態としては、特に限定されないが、例えば、軸流ファンが挙げられる。軸流ファンとは、ファンの回転軸方向において、一方から吸引した気体を、ファンの回転によって他方に押し出すファンである。
【００８４】
なお、プロジェクター１０、収容装置１００の第１吸気ファン１３４などに接続される配線類、および該配線類を収容装置１００の外部に引き出すための開口部などは、図示を省略している。
【００８５】
＜シャッター＞
第２空間１６２と後室１４９との間のシャッター１４７の構成などについて、図１１Ａおよび図１１Ｂを参照して説明する。図１１Ａおよび図１１Ｂは、ＸＺ平面に沿った、収容装置１００におけるシャッター周辺の拡大断面図である。図１１Ａでは、シャッター１４７が閉じた状態を示し、図１１Ｂでは、シャッター１４７が開いた状態を示している。
【００８６】
図１１Ａに示すように、収容装置１００には、第２空間１６２と第１排気口１５０との間にシャッター１４７が配置されている。換言すれば、第２空間１６２と後室１４９との間にシャッター１４７が配置されている。シャッター１４７は、第２空間１６２の気圧と、第１排気口１５０の外側（外界）の気圧と、の圧力差に応じて開閉して、第２空間１６２から第１排気口１５０までの間を、連通と遮断との間で切り替える。
【００８７】
シャッター１４７は、略矩形の板状部材であって、後室１４９の上段と下段との間の仕切りに設けられている。シャッター１４７は、内蔵させるバネ部材（図示せず）によって付勢され、第２空間１６２と後室１４９との境界に設けられたリブ１６４に当接して、第２空間１６２と第１排気口１５０との間の経路を遮断する。リブ１６４には、シャッター１４７が当接する領域に緩衝材（図示せず）が付設されている。これにより、シャッター１４７とリブ１６４との密着が確保されやすくなり、第２空間１６２と第１排気口１５０との間の遮断における密閉性が向上する。
【００８８】
シャッター１４７によって、投射装置１の保管、運搬、非稼働時などの際に、第２空間１６２と第１排気口１５０との間の経路が遮断される。そのため、塵埃などが外界の空気と共に第２空間１６２に流入しにくくなり、プロジェクター１０内の光学部品に塵埃が付着することによる、光学部品の光学特性の低下や光学部品の劣化を防止することができる。
【００８９】
図１１Ｂに示すように、シャッター１４７は、外界の気圧に対して第２空間１６２の気圧が大きくなると開いて、第２空間１６２と後室１４９との間、すなわち、第２空間１６２と第１排気口１５０との間が連通する。つまり、投射装置１の第１吸気ファン１３４（図２参照）、第２吸気ファン３２（図７参照）が稼働して、第２空間１６２の気圧が外界の気圧よりも大きくなると、シャッター１４７が開く。そのため、第２空間１６２と後室１４９の上段とが連通して、第２空間１６２から、後室１４９、第１排気口１５０を経て空気ＨＡが外界へ排出される。
【００９０】
なお、シャッター１４７が開放される、第２空間１６２の気圧と外界の気圧との圧力差は、特に限定されない。また、シャッター１４７が開閉する上記圧力差は、シャッター１４７に内蔵されるバネの強さなどによって調節することが可能である。
【００９１】
＜調整機構＞
収容装置１００における位置調整の機構の構成について、図１２を参照して説明する。図１２は、調整機構の構成を示す斜視図である。なお、図１２では、下部筐体１１０ｂおよびプロジェクター１０を、斜め下方から見上げた状態を示し、下部筐体１１０ｂを２点鎖線にて表している。
【００９２】
図１２に示すように、収容装置１００は、収容装置１００に対して、収容するプロジェクター１０の相対的な位置調整を行う調整機構１７０を備えている。調整機構１７０は、ピッチ調整機構１７３ａおよびロール調整機構１７３ｂを含んでいる。調整機構１７０は、ピッチ調整機構１７３ａおよびロール調整機構１７３ｂの他に、載置板１７１、支持部材１７２ａ，１７２ｂ、ベース部材１７５、調整つまみ１７４ａ，１７４ｂを備えている。
【００９３】
載置板１７１は、略長方形の板状部材であって、プロジェクター１０の底面を支持して載置する。載置板１７１は、略長方形の４辺のうち、２辺がＸ方向に沿い、他の２辺がＹ方向に沿って配置されている。載置板１７１の下方には、支持部材１７２ａ，１７２ｂが設けられている。
【００９４】
支持部材１７２ａは、棒状の部材であって、載置板１７１のＹ方向に沿う左方側の１辺とほぼ重ねられて配置されている。Ｙ方向に延在する支持部材１７２ａの長さは、プロジェクター１０のＹ方向の長さ（奥行き）にほぼ等しい。支持部材１７２ａの後方（正のＹ方向）側の端部には、ピッチ調整機構１７３ａが配置されている。
【００９５】
支持部材１７２ｂは、棒状の部材であって、載置板１７１のＸ方向に沿う前方側の１辺とほぼ重ねられて配置されている。Ｘ方向に延在する支持部材１７２ｂの長さは、プロジェクター１０のＸ方向の長さ（幅）にほぼ等しい。支持部材１７２ｂの右方（負のＸ方向）側の端部には、ロール調整機構１７３ｂが配置されている。
【００９６】
支持部材１７２ａと支持部材１７２ｂとは、前方の左方側で交差している。支持部材１７２ａ，１７２ｂが交差する位置の下方に、ベース部材１７５が配置されている。ベース部材１７５は、下部が下部筐体１１０ｂと接する。また、ピッチ調整機構１７３ａおよびロール調整機構１７３ｂは、下方のベース部が下部筐体１１０ｂと接する。したがって、調整機構１７０は、プロジェクター１０を載置して、ピッチ調整機構１７３ａおよびロール調整機構１７３ｂの下方のベース部と、ベース部材１７５との３点によって、下部筐体１１０ｂに接して載置される。
【００９７】
ピッチ調整機構１７３ａは、ねじジャッキ（図示せず）および調整つまみ１７４ａを備えている。該ねじジャッキは、調整つまみ１７４ａを回動させることによって、支持部材１７２ａの後方端部と、ピッチ調整機構１７３ａのベース部との距離（高さ）を変更することが可能である。すなわち、上記距離が変更されることで、ベース部材１７５と下部筐体１１０ｂとの接点を支点として、支持部材１７２ａの後方端部の、下部筐体１１０ｂからの高さが変更される。これによって、調整機構１７０に載置されたプロジェクター１０の左後方が、上下に位置調整（ピッチ調整Ｐ）される。すなわち、ピッチ調整機構１７３ａにより、収容装置１００に対して、プロジェクター１０の相対的なピッチ調整Ｐを行うことが可能である。
【００９８】
ロール調整機構１７３ｂは、ねじジャッキ（図示せず）および調整つまみ１７４ｂを備えている。該ねじジャッキは、調整つまみ１７４ｂを回動させることによって、支持部材１７２ｂの右方端部と、ロール調整機構１７３ｂのベース部との距離（高さ）を変更することが可能である。すなわち、上記距離が変更されることで、ベース部材１７５と下部筐体１１０ｂとの接点を支点として、支持部材１７２ｂの右方端部の、下部筐体１１０ｂからの高さが変更される。これによって、調整機構１７０に載置されたプロジェクター１０の右前方が、上下に位置調整（ロール調整Ｒ）される。すなわち、ロール調整機構１７３ｂにより、収容装置１００に対して、プロジェクター１０の相対的なロール調整Ｒを行うことが可能である。
【００９９】
ここで、本実施形態の調整機構１７０は、ピッチ調整機構１７３ａとロール調整機構１７３ｂとを含む形態としたが、これに限定されない。調整機構１７０は、ピッチ調整機構１７３ａ、ロール調整機構１７３ｂのいずれか一方を備える形態であってもよい。また、調整機構１７０は、投射レンズ３０から出射される光の出射方向を、Ｘ方向（右方または左方）に調整可能なヨー調整機構を含んでいてもよい。
【０１００】
第１筐体１１０の上部筐体１１０ａは、図示を省略するが、調整つまみ１７４ａ，１７４ｂに対応して、調整つまみ１７４ａ，１７４ｂを第１筐体１１０の外側から操作して、上述した位置調整を行うための開口部をそれぞれ備えている。そのため、該開口部からドライバーなどを差し入れて、調整つまみ１７４ａ，１７４ｂを操作することが可能である。したがって、例えば、投射装置１を複数個積み上げて設置した場合であっても、該開口部を介してピッチ調整Ｐおよびロール調整Ｒを行うことができる。該開口部に栓などの蓋を設けて、位置調整を行わない場合に、収容装置１００内の気密を確保してもよい。これにより、該開口部からの塵埃などの浸入を防止することができる。
【０１０１】
なお、本実施形態では、電子機器として投射装置１、電子機器本体としてプロジェクター１０を例示したが、電子機器および電子機器本体はこれらに限定されない。
【０１０２】
以上に述べたように、本実施形態に係る、投射装置１によれば、以下の効果を得ることができる。
【０１０３】
収容装置１００に収容されるプロジェクター１０に対する冷却効果を向上させることができる。詳しくは、プロジェクター１０が配置される内部空間は、区画部１４０によって第１空間１６１と第２空間１６２とに仕切られている。第１空間１６１には、プロジェクター１０の第２吸気口２２が配置され、第２空間１６２には、プロジェクター１０の第２排気口２４が配置される。そのため、第２吸気口２２からプロジェクター１０の内部に取り込まれる空気ＣＡと、プロジェクター１０の内部から第２排気口２４を介して排出された空気ＨＡと、が混ざりにくくなる。換言すれば、プロジェクター１０の内部を冷却するために取り込まれる空気ＣＡに、プロジェクター１０の内部を冷却して暖まった空気ＨＡが混入しにくくなる。
【０１０４】
収容装置１００は、第１吸気ファン１３４を備えているため、第１吸気口１２０から第１空間１６１に空気ＣＡが取り込まれやすくなる。すなわち、第１吸気ファン１３４を備えない場合と比べて、プロジェクター１０の内部へ冷却用の空気ＣＡが充分に供給される。
【０１０５】
第１吸気ファン１３４から第１空間１６１に送出される空気ＣＡの量が、第２吸気ファン３２によってプロジェクター１０の内部に吸入される空気ＣＡの量よりも大きいため、第１空間１６１における気圧は、プロジェクター１０の内部の気圧よりも高くなる。これにより、第１空間１６１の気圧がプロジェクター１０の内部の気圧以下である場合と比べて、プロジェクター１０の内部を通過する空気ＣＡの流速が大きくなる。
【０１０６】
以上により、プロジェクター１０の内部を効率よく冷却することができる。したがって、従来よりも冷却効果が向上した投射装置１を提供することができる。
【０１０７】
また、第１空間１６１における気圧は、プロジェクター１０の内部の気圧よりも高くなり、さらには、投射装置１の外界の気圧よりも高くなる。すなわち、第１空間１６１は投射装置１の外界に対して陽圧となる。そのため、第１吸気口１２０以外の、例えば、収容装置１００の隙間などから第１空間１６１に空気が流入しにくくなる。これによって、投射装置１の外界の塵埃などが第１空間１６１に侵入しにくくなり、塵埃によるプロジェクター１０の内部の光学部品の光学特性の低下や光学部品の劣化を防止することができる。
【０１０８】
シャッター１４７によって第２空間１６２と第１排気口１５０との連通が遮断されることから、第１排気口１５０から第２空間１６２への空気の逆流が防止される。そのため、投射装置１が稼働していない場合などに、投射装置１の外界の塵埃などが空気と共に流入しにくくなる。したがって、プロジェクター１０の内部の光学部品の光学特性の低下や光学部品の劣化を防止することができる。
【０１０９】
収容装置１００はフィルター１３２を備えていることから、第１吸気口１２０からフィルター１３２を介して、第１空間１６１に空気ＣＡが取り込まれる。そのため、投射装置１の外界の空気が塵埃などを含んでいても、フィルター１３２によってそれらが低減される。これにより、プロジェクター１０の内部の光学部品の光学特性の低下や光学部品の劣化を防止することができる。また、第１吸気口１２０から吸引された空気ＣＡが、フィルター１３２を経てから第１吸気ファン１３４に至る。そのため、投射装置１の外界の空気が塵埃などを含んでいても、塵埃によって第１吸気ファン１３４の性能が低下することを抑えられる。
【０１１０】
上部筐体１１０ａの開口部を介してプロジェクター１０の位置調整を行うことが可能となる。すなわち、投射装置１を設置した状態で、投射装置１（第１筐体１１０）の外側から、ピッチ調整Ｐおよびロール調整Ｒを行うことができる。
【０１１１】
収容装置１００が第１筐体１１０に窓部１１２を備えているため、窓部１１２を介して、プロジェクター１０の投射レンズ３０から投射装置１の外界へ光を投射することができる。
【０１１２】
以下に、実施形態から導き出される内容を記載する。
【０１１３】
電子機器は、電子機器本体と、電子機器本体を収容する収容装置と、を備える電子機器であって、収容装置は、電子機器本体が配置される内部空間を形成し、内部空間に空気を取り込む第１吸気口、および内部空間から空気を排出する第１排気口を有し、外装を構成する第１筐体と、内部空間において、第１吸気口に連通する第１空間と、第１排気口に連通する第２空間と、を区画する区画部と、第１空間に、第１吸気口からの空気を送出する第１吸気ファンと、を備え、電子機器本体は、内部に空気を取り込む第２吸気口、および内部の空気を外部へ排出する第２排気口を有し、外装を構成する第２筐体と、第２吸気口を介して内部に空気を吸入する第２吸気ファンと、を備え、第２吸気口は、第１空間に配置され、第２排気口は、第２空間に配置され、第１吸気ファンが第１空間に送出する空気の量は、第２吸気ファンが第２筐体の内部に吸入する空気の量よりも大きいことを特徴とする。
【０１１４】
この構成によれば、収容装置に収容される電子機器本体に対する冷却効果を向上させることができる。詳しくは、電子機器本体が配置される内部空間は、区画部によって第１空間と第２空間とに仕切られている。第１空間には、電子機器本体の第２吸気口が配置され、第２空間には、電子機器本体の第２排気口が配置される。そのため、第２吸気口から電子機器本体の内部に取り込まれる空気と、電子機器本体の内部から第２排気口を介して排出された空気と、が混ざりにくくなる。換言すれば、電子機器本体の内部を冷却するために取り込まれる空気に、電子機器本体の内部を冷却して暖まった空気が混入しにくくなる。
【０１１５】
収容装置は、第１吸気ファンを備えているため、第１吸気口から第１空間に空気が取り込まれやすくなる。すなわち、第１吸気ファンを備えない場合と比べて、電子機器本体の内部へ冷却用の空気が充分に供給される。
【０１１６】
第１吸気ファンから第１空間に送出される空気の量が、第２吸気ファンによって電子機器本体の内部に吸入される空気の量よりも大きいため、第１空間における気圧は、電子機器本体の内部の気圧よりも高くなる。これにより、第１空間の気圧が電子機器本体の内部の気圧以下である場合と比べて、電子機器本体の内部を通過する空気の流速が大きくなる。
【０１１７】
以上により、電子機器本体の内部を効率よく冷却することができる。したがって、従来よりも冷却効果が向上した電子機器を提供することができる。
【０１１８】
上記の電子機器において、収容装置は、第２空間と第１排気口との間に配置されたシャッターを備え、シャッターは、第２空間の気圧と、第１排気口の外側の気圧と、の圧力差に応じて開閉して、第２空間から第１排気口までの間を連通と遮断との間で切り替えることが好ましい。
【０１１９】
この構成によれば、第２空間と第１排気口とが遮断されることから、第１排気口から第２空間への空気の逆流が防止される。そのため、電子機器が稼働していない場合などに、電子機器の外界の塵埃が空気と共に流入しにくくなる。したがって、電子機器本体の内部に塵埃が付着することによる、電子機器本体内の部品の特性の低下や該部品の劣化を防止することができる。
【０１２０】
上記の電子機器において、収容装置は、第１吸気口と第１空間との間にフィルターを備えることが好ましい。
【０１２１】
この構成によれば、第１吸気口からフィルターを介して、第１空間に空気が取り込まれる。そのため、電子機器の外界の空気が塵埃を含んでいても、フィルターによって塵埃を捕捉することで、第１空間に塵埃を含んだ空気が流入することを防止することができる。これにより、電子機器本体の内部の光学部品の光学特性の低下や光学部品の劣化を防止することができる。
【０１２２】
上記の電子機器において、フィルターは、第１吸気口と第１吸気ファンとの間に配置されていることが好ましい。
【０１２３】
この構成によれば、第１吸気口から吸引された空気が、フィルターを経てから第１吸気ファンに至る。そのため、電子機器の外界の空気が塵埃を含んでいても、それらによって第１吸気ファンの性能が低下することが抑えられる。
【０１２４】
上記の電子機器において、収容装置は、収容装置に対して、収容する電子機器本体の相対的な位置調整を行う調整機構を備え、調整機構は、ピッチ調整機構およびロール調整機構を含むことが好ましい。
【０１２５】
この構成によれば、電子機器を設置した状態で、電子機器の外側から、ピッチ調整およびロール調整を行うことができる。
【０１２６】
投射装置は、プロジェクターと、プロジェクターを収容する収容装置と、を備える投射装置であって、収容装置は、プロジェクターが配置される内部空間を形成し、内部空間に空気を取り込む第１吸気口、内部空間から空気を排出する第１排気口、およびプロジェクターから出射された光が通過する窓部を有し、外装を構成する第１筐体と、内部空間において、第１吸気口に連通する第１空間と、第１排気口に連通する第２空間と、を区画する区画部と、第１空間に、第１吸気口からの空気を送出する第１吸気ファンと、を備え、プロジェクターは、光源と、光源から出射された光を変調する光変調装置と、光変調装置によって変調された光を投射する投射光学装置と、内部に空気を取り込む第２吸気口、および内部の空気を外部へ排出する第２排気口を有し、外装を構成する第２筐体と、第２吸気口を介して内部に空気を吸入する第２吸気ファンと、を備え、第２吸気口は、第１空間に配置され、第２排気口は、第２空間に配置され、第１吸気ファンが第１空間に送出する空気の量は、第２吸気ファンが第２筐体の内部に吸入する空気の量よりも大きいことを特徴とする。
【０１２７】
この構成によれば、収容装置に収容されるプロジェクターに対する冷却効果を向上させることができる。詳しくは、プロジェクターが配置される内部空間は、区画部によって第１空間と第２空間とに仕切られている。第１空間には、プロジェクターの第２吸気口が配置され、第２空間には、プロジェクターの第２排気口が配置される。そのため、第２吸気口からプロジェクターの内部に取り込まれる空気と、プロジェクターの内部から第２排気口を介して排出された空気と、が混ざりにくくなる。換言すれば、プロジェクターの内部を冷却するために取り込まれる空気に、プロジェクターの内部を冷却して暖まった空気が混入しにくくなる。
【０１２８】
収容装置は、第１吸気ファンを備えているため、第１吸気口から第１空間に空気が取り込まれやすくなる。すなわち、第１吸気ファンを備えない場合と比べて、プロジェクターの内部へ冷却用の空気が充分に供給される。
【０１２９】
第１吸気ファンから第１空間に送出される空気の量が、第２吸気ファンによってプロジェクターの内部に吸入される空気の量よりも大きいため、第１空間における気圧は、プロジェクターの内部の気圧よりも高くなる。これにより、第１空間の気圧がプロジェクターの内部の気圧以下である場合と比べて、プロジェクターの内部を通過する空気の流速が大きくなる。
【０１３０】
以上により、プロジェクターの内部を効率よく冷却することができる。したがって、従来よりも冷却効果が向上した投射装置を提供することができる。
【０１３１】
また、第１空間における気圧は、プロジェクターの内部の気圧よりも高くなり、さらには、投射装置の外界の気圧よりも高くなる。すなわち、第１空間は投射装置の外界に対して陽圧となる。そのため、第１吸気口以外の、例えば、収容装置の隙間などから第１空間に空気が流入しにくくなる。これによって、投射装置の外界の塵埃が第１空間に侵入しにくくなり、塵埃によるプロジェクターの内部の光学部品の光学特性の低下や光学部品の劣化を防止することができる。
【０１３２】
さらに、収容装置が第１筐体に窓部を備えているため、該窓部を介して、プロジェクターの投射光学装置から投射装置の外界へ光を投射することができる。
【符号の説明】
【０１３３】
１…投射装置（電子機器）、１０…プロジェクター、２０…第２筐体、２２…第２吸気口、２４…第２排気口、３０…投射レンズ、３２…第２吸気ファン、１００…収容装置、１１０…第１筐体、１１０ａ…上部筐体、１１０ｂ…下部筐体、１１２…窓部、１２０…第１吸気口、１２１…前室、１３２…フィルター、１３４…第１吸気ファン、１４０…区画部、１４７…シャッター、１４９…後室、１５０…第１排気口、１６１…第１空間、１６２…第２空間、１７０…調整機構、１７３ａ…ピッチ調整機構、１７３ｂ…ロール調整機構、２０１…光源、４５０Ｒ，４５０Ｇ、４５０Ｂ…光変調装置（液晶ライトバルブ）、６００…投射光学装置。
【図１】
2020016737.tif 000003
【図２】
2020016737.tif 000004
【図３】
2020016737.tif 000005
【図４】
2020016737.tif 000006
【図５】
2020016737.tif 000007
【図６】
2020016737.tif 000008
【図７】
2020016737.tif 000009
【図８】
2020016737.tif 000010
【図９】
2020016737.tif 000011
【図１０】
2020016737.tif 000012
【図１１Ａ】
2020016737.tif 000013
【図１１Ｂ】
2020016737.tif 000014
【図１２】
2020016737.tif 000015